(57)【特許請求の範囲】
【請求項１】
擁壁を構築し得る略直方体形状の擁壁ブロックであって、
杭が挿通する、底面から上面まで貫通する２つの貫通孔を備えるとともに、
該擁壁ブロックの少なくとも２つの側面に、１つの側面ごとに１つの凹部または１つの凸部を備え、
前記凹部および前記凸部は、擁壁が形成された状態において水平面で切断したときの断面形状が前記擁壁ブロックの底面から上面まで同一形状であり、
前記凸部の前記側面からの突出長さは前記凹部の深さよりも長く、かつ、前記凸部の最大幅は前記凹部の最大幅よりも小さく、前記凸部と前記凹部は略嵌合することができ、
擁壁が形成された状態において前記擁壁ブロックを水平面で切断したときの略長方形断面の長辺の長さをＡ、前記凸部の前記側面からの突出長さから前記凹部の深さを減じた長さをＢとしたとき、前記２つの貫通孔の中心の位置は、どちらも、前記略長方形断面の短辺から（Ａ−Ｂ）／４の距離だけ離れた地点に位置し、
さらに、前記凸部は該凸部が備えられている側面から該側面上の半円柱状の突起を該側面と直交する方向にさらに突出させた形状であり、前記凹部は該凹部が備えられている側面と直交する方向であって深さが浅くなる方向に該側面の半円柱状の溝を平行移動させた形状であり、かつ、前記凸部と前記凹部の形状は、前記凸部と前記凹部とを嵌合させて当接させたとすると、前記凸部と前記凹部との当接部位から離れるほど前記凸部と前記凹部との間の間隔が広くなるような形状であり、
前記略直方体形状の擁壁ブロックの短辺側面と長辺側面に１つずつ、前記凹部または前記凸部を設けたことを特徴とする擁壁ブロック。
【請求項２】
前記略直方体形状の擁壁ブロックは鉄筋コンクリート製であることを特徴とする請求項１に記載の擁壁ブロック。
【請求項３】
複数の杭と、
前記杭に支持された複数の擁壁ブロックと、
を備えた擁壁であって、
前記擁壁ブロックは、略直方体形状であり、
前記杭が挿通する、底面から上面まで貫通する２つの貫通孔を備えるとともに、
該擁壁ブロックの少なくとも２つの側面に、１つの側面ごとに１つの凹部または１つの凸部を備え、
前記凹部および前記凸部は、前記擁壁が形成された状態において水平面で切断したときの断面形状が前記擁壁ブロックの底面から上面まで同一形状であり、
前記凸部の前記側面からの突出長さは前記凹部の深さよりも長く、かつ、前記凸部の最大幅は前記凹部の最大幅よりも小さく、前記凸部と前記凹部は略嵌合することができ、
前記擁壁が形成された状態において前記擁壁ブロックを水平面で切断したときの略長方形断面の長辺の長さをＡ、前記凸部の前記側面からの突出長さから前記凹部の深さを減じた長さをＢとしたとき、前記２つの貫通孔の中心の位置は、どちらも、前記略長方形断面の短辺から（Ａ−Ｂ）／４の距離だけ離れた地点に位置し、
さらに、前記凸部は該凸部が備えられている側面から該側面上の半円柱状の突起を該側面と直交する方向にさらに突出させた形状であり、前記凹部は該凹部が備えられている側面と直交する方向であって深さが浅くなる方向に該側面の半円柱状の溝を平行移動させた形状であり、かつ、前記凸部と前記凹部の形状は、前記凸部と前記凹部とを嵌合させて当接させたとすると、前記凸部と前記凹部との当接部位から離れるほど前記凸部と前記凹部との間の間隔が広くなるような形状であり、
複数の前記擁壁ブロックは該擁壁ブロックの前記貫通孔に前記杭が挿通されるように配置されるとともに、前記擁壁ブロックの前記凸部と別の前記擁壁ブロックの前記凹部とが略嵌合されて複数の前記擁壁ブロックが並んだ第１段目の擁壁ブロック列が形成され、略嵌合された前記凸部の少なくとも一部の部位と略嵌合された前記凹部の少なくとも一部の部位は当接し、当接した該部位は該擁壁ブロックの底面から上面まで連続的に連なっており、
形成された前記第１段目の擁壁ブロック列の前記凸部と前記凹部とが略嵌合された部位の上に、第２段目の前記擁壁ブロックが、該擁壁ブロックの前記貫通孔に第１段目の擁壁ブロックの前記貫通孔を挿通した前記杭が挿通するように積まれるとともに、第２段目の前記擁壁ブロックの前記凸部と第２段目の別の前記擁壁ブロックの前記凹部とが略嵌合されて複数の前記擁壁ブロックが並んだ第２段目の擁壁ブロック列が形成され、該第２段目の擁壁ブロック列において略嵌合された前記凸部の少なくとも一部の部位と略嵌合された前記凹部の少なくとも一部の部位は当接し、当接した該部位は該擁壁ブロックの底面から上面まで連続的に連なっている擁壁が、
海洋において、四角形状に閉じるように設けられており、四角形状に閉じるように設けられた前記擁壁の内側は土砂で埋められていることを特徴とする人工島。
【請求項４】
複数の杭と、
前記杭に支持された複数の擁壁ブロックと、
を備えた擁壁であって、
前記擁壁ブロックは、略直方体形状であり、
前記杭が挿通する、底面から上面まで貫通する２つの貫通孔を備えるとともに、
該擁壁ブロックの少なくとも２つの側面に、１つの側面ごとに１つの凹部または１つの凸部を備え、
前記凹部および前記凸部は、前記擁壁が形成された状態において水平面で切断したときの断面形状が前記擁壁ブロックの底面から上面まで同一形状であり、
前記凸部の前記側面からの突出長さは前記凹部の深さよりも長く、かつ、前記凸部の最大幅は前記凹部の最大幅よりも小さく、前記凸部と前記凹部は略嵌合することができ、
前記擁壁が形成された状態において前記擁壁ブロックを水平面で切断したときの略長方形断面の長辺の長さをＡ、前記凸部の前記側面からの突出長さから前記凹部の深さを減じた長さをＢとしたとき、前記２つの貫通孔の中心の位置は、どちらも、前記略長方形断面の短辺から（Ａ−Ｂ）／４の距離だけ離れた地点に位置し、
さらに、前記凸部は該凸部が備えられている側面から該側面上の半円柱状の突起を該側面と直交する方向にさらに突出させた形状であり、前記凹部は該凹部が備えられている側面と直交する方向であって深さが浅くなる方向に該側面の半円柱状の溝を平行移動させた形状であり、かつ、前記凸部と前記凹部の形状は、前記凸部と前記凹部とを嵌合させて当接させたとすると、前記凸部と前記凹部との当接部位から離れるほど前記凸部と前記凹部との間の間隔が広くなるような形状であり、
複数の前記擁壁ブロックは該擁壁ブロックの前記貫通孔に前記杭が挿通されるように配置されるとともに、前記擁壁ブロックの前記凸部と別の前記擁壁ブロックの前記凹部とが略嵌合されて複数の前記擁壁ブロックが並んだ第１段目の擁壁ブロック列が形成され、略嵌合された前記凸部の少なくとも一部の部位と略嵌合された前記凹部の少なくとも一部の部位は当接し、当接した該部位は該擁壁ブロックの底面から上面まで連続的に連なってお
り、
形成された前記第１段目の擁壁ブロック列の前記凸部と前記凹部とが略嵌合された部位の上に、第２段目の前記擁壁ブロックが、該擁壁ブロックの前記貫通孔に第１段目の擁壁ブロックの前記貫通孔を挿通した前記杭が挿通するように積まれるとともに、第２段目の前記擁壁ブロックの前記凸部と第２段目の別の前記擁壁ブロックの前記凹部とが略嵌合されて複数の前記擁壁ブロックが並んだ第２段目の擁壁ブロック列が形成され、該第２段目の擁壁ブロック列において略嵌合された前記凸部の少なくとも一部の部位と略嵌合された前記凹部の少なくとも一部の部位は当接し、当接した該部位は該擁壁ブロックの底面から上面まで連続的に連なっており、
さらに、同様に第ｎ段目（ただし、ｎは３以上の任意の整数）まで擁壁ブロック列が形成されるように前記擁壁ブロックが積まれた擁壁が、
海洋において、四角形状に閉じるように設けられており、四角形状に閉じるように設けられた前記擁壁の内側は土砂で埋められていることを特徴とする人工島。
【請求項５】
前記擁壁が、水域と陸域との間に構築されており、かつ、隣り合う前記擁壁ブロックの側面の間隙にゴム製の部材が外部から視認可能な状態で取り付けられていることを特徴とする請求項３または４に記載の人工島。
【発明の詳細な説明】
【技術分野】
【０００１】
本発明は、擁壁ブロック、擁壁および擁壁の構築方法、ならびに人工島に関し、特に海に面していない側が土砂等で埋め立てられた海岸構造物に適用可能な擁壁ブロック、擁壁および擁壁の構築方法に関するとともに、前記擁壁を用いた人工島に関する。
【背景技術】
【０００２】
海に面していない側が土砂等で埋め立てられた海岸構造物には、汚濁水が海へ流出することの防止が求められており、これに対応するための方法としては、遮水シートを用いる方法と、鋼矢板や鋼管矢板と遮水材を用いる方法がある（例えば、特許文献１）。
【０００３】
また、２０１１年３月１１日に発生した東北地方太平洋沖地震の大津波による大被害を受けて、海に面した海岸構造物には大津波に対する安全性が強く求められるようになってきている。
【先行技術文献】
【特許文献】
【０００４】
【特許文献１】特許第４０８８８７１号公報
【発明の概要】
【発明が解決しようとする課題】
【０００５】
しかしながら、海に面していない側が土砂等で埋め立てられた海岸構造物において、汚濁水が海へ流出することを抑制するために、遮水シートを用いる方法、鋼矢板や鋼管矢板と遮水材を用いる方法は、どちらも効果が十分ではない。また、前述したように、２０１１年３月１１日に発生した東北地方太平洋沖地震の大津波による大被害を受けて、海に面した海岸構造物には大津波に対する安全性が強く求められるようになってきている。
【０００６】
本発明は、かかる状況に鑑みてなされたものであり、海に面していない側が土砂等で埋め立てられた海岸構造物に適用可能で、汚濁水が海へ流出することを抑制でき、かつ、大津波への安全性も確保された擁壁の構築に用いる擁壁ブロック、該擁壁ブロックを用いた擁壁および擁壁の構築方法を提供することを課題とするとともに、前記擁壁を用いた人工島を提供することを課題とする。
【課題を解決するための手段】
【０００７】
本発明は、以下の擁壁ブロック、擁壁および擁壁の構築方法、ならびに人工島により、前記課題を解決したものである。
【０００８】
即ち、本発明に係る擁壁ブロックは、擁壁を構築し得る略直方体形状の擁壁ブロックであって、杭が挿通する、底面から上面まで貫通する２つの貫通孔を備えるとともに、該擁壁ブロックの少なくとも２つの側面に、１つの側面ごとに１つの凹部または１つの凸部を備え、前記凹部および前記凸部は、擁壁が形成された状態において水平面で切断したときの断面形状が前記擁壁ブロックの底面から上面まで同一形状であり、前記凸部の前記側面からの突出長さは前記凹部の深さよりも長く、かつ、前記凸部の最大幅は前記凹部の最大幅よりも小さく、前記凸部と前記凹部は略嵌合することができ、擁壁が形成された状態において前記擁壁ブロックを水平面で切断したときの略長方形断面の長辺の長さをＡ、前記凸部の前記側面からの突出長さから前記凹部の深さを減じた長さをＢとしたとき、前記２つの貫通孔の中心の位置は、どちらも、前記略長方形断面の短辺から（Ａ−Ｂ）／４の距離だけ離れた地点に位置し、さらに、前記凸部は該凸部が備えられている側面から該側面上の半円柱状の突起を該側面と直交する方向にさらに突出させた形状であり、前記凹部は該凹部が備えられている側面と直交する方向であって深さが浅くなる方向に該側面の半円柱状の溝を平行移動させた形状であり、かつ、前記凸部と前記凹部の形状は、前記凸部と前記凹部とを嵌合させて当接させたとすると、前記凸部と前記凹部との当接部位から離れるほど前記凸部と前記凹部との間の間隔が広くなるような形状であることを特徴とする擁壁ブロックである。
【０００９】
ここで、擁壁ブロックの「底面」、「上面」、「側面」は、擁壁が形成された状態における該擁壁ブロックの配置状態を基準に決定するものとし、本明細書では以下同様とする。
【００１０】
また、「凸部の最大幅」は、擁壁が形成された状態における擁壁ブロックを水平面で切断したときの断面における凸部の突出方向と直交する方向の凸部の最大幅のことであり、「凹部の最大幅」は、擁壁が形成された状態における擁壁ブロックを水平面で切断したときの断面における凹部の深さ方向と直交する方向の凹部の最大幅のことである。
【００１１】
また、「貫通孔の中心の位置」とは、擁壁が形成された状態における擁壁ブロックを水平面で切断したときの断面における貫通孔の重心位置のことであり、本明細書では以下同様とする。
【００１２】
また、「半円柱状」とは、円柱をその軸方向と平行な平面で（当該円柱の底面と下面の中心を通るように）半分に切断したときの立体形状のことである。
【００１３】
本発明に係る擁壁の第１の態様は、複数の杭と、前記杭に支持された複数の前記擁壁ブロックと、を備えた擁壁であって、複数の前記擁壁ブロックは該擁壁ブロックの前記貫通孔に前記杭が挿通されるように配置されるとともに、前記擁壁ブロックの前記凸部と別の前記擁壁ブロックの前記凹部とが略嵌合されて複数の前記擁壁ブロックが並んだ第１段目の擁壁ブロック列が形成され、略嵌合された前記凸部の少なくとも一部の部位と略嵌合された前記凹部の少なくとも一部の部位は当接し、当接した該部位は該擁壁ブロックの底面から上面まで連続的に連なっており、形成された前記第１段目の擁壁ブロック列の前記凸部と前記凹部とが略嵌合された部位の上に、第２段目の前記擁壁ブロックが、該擁壁ブロックの前記貫通孔に第１段目の擁壁ブロックの前記貫通孔を挿通した前記杭が挿通するように積まれるとともに、第２段目の前記擁壁ブロックの前記凸部と第２段目の別の前記擁壁ブロックの前記凹部とが略嵌合されて複数の前記擁壁ブロックが並んだ第２段目の擁壁ブロック列が形成され、該第２段目の擁壁ブロック列において略嵌合された前記凸部の少なくとも一部の部位と略嵌合された前記凹部の少なくとも一部の部位は当接し、当接した該部位は該擁壁ブロックの底面から上面まで連続的に連なっていることを特徴とする擁壁である。
【００１４】
本発明に係る擁壁の第２の態様は、複数の杭と、前記杭に支持された複数の前記擁壁ブロックと、を備えた擁壁であって、複数の前記擁壁ブロックは該擁壁ブロックの前記貫通孔に前記杭が挿通されるように配置されるとともに、前記擁壁ブロックの前記凸部と別の前記擁壁ブロックの前記凹部とが略嵌合されて複数の前記擁壁ブロックが並んだ第１段目の擁壁ブロック列が形成され、略嵌合された前記凸部の少なくとも一部の部位と略嵌合された前記凹部の少なくとも一部の部位は当接し、当接した該部位は該擁壁ブロックの底面から上面まで連続的に連なっており、形成された前記第１段目の擁壁ブロック列の前記凸部と前記凹部とが略嵌合された部位の上に、第２段目の前記擁壁ブロックが、該擁壁ブロックの前記貫通孔に第１段目の擁壁ブロックの前記貫通孔を挿通した前記杭が挿通するように積まれるとともに、第２段目の前記擁壁ブロックの前記凸部と第２段目の別の前記擁壁ブロックの前記凹部とが略嵌合されて複数の前記擁壁ブロックが並んだ第２段目の擁壁ブロック列が形成され、該第２段目の擁壁ブロック列において略嵌合された前記凸部の少なくとも一部の部位と略嵌合された前記凹部の少なくとも一部の部位は当接し、当接した該部位は該擁壁ブロックの底面から上面まで連続的に連なっており、さらに、同様に第ｎ段目（ただし、ｎは３以上の任意の整数）まで擁壁ブロック列が形成されるように前記擁壁ブロックが積まれたことを特徴とする擁壁である。
【００１５】
本発明に係る擁壁の第１および第２の態様を、水域と陸域との間に構築してもよく、また、本発明に係る擁壁の第１および第２の態様において、隣り合う前記擁壁ブロックの側面の間隙にゴム製の部材を外部から視認可能な状態で取り付けてもよい。
【００１６】
本発明に係る擁壁の構築方法の第１の態様は、複数の前記擁壁ブロックの前記貫通孔をそれぞれ別の杭に挿通するとともに、前記擁壁ブロックの前記凸部と別の前記擁壁ブロックの前記凹部とを略嵌合して複数の前記擁壁ブロックが並んだ第１段目の擁壁ブロック列を形成する工程と、形成した前記第１段目の擁壁ブロック列の前記凸部と前記凹部とが略嵌合された部位の上に、第２段目の前記擁壁ブロックを、該擁壁ブロックの前記貫通孔に第１段目の擁壁ブロックの前記貫通孔を挿通した前記杭が挿通するように積むとともに、第２段目の前記擁壁ブロックの前記凸部と第２段目の別の前記擁壁ブロックの前記凹部とを略嵌合して複数の前記擁壁ブロックが並んだ第２段目の擁壁ブロック列を形成する工程と、を有し、前記形成した第１段目の擁壁ブロック列および第２段目の擁壁ブロック列において、略嵌合した前記凸部の少なくとも一部の部位と略嵌合した前記凹部の少なくとも一部の部位が当接し、当接した該部位は該擁壁ブロックの底面から上面まで連続的に連なっていることを特徴とする擁壁の構築方法である。
【００１７】
本発明に係る擁壁の構築方法の第２の態様は、予め構築した桟橋上に配置したクレーンにより、水底に杭を打ち込む工程と、複数の前記擁壁ブロックの前記貫通孔をそれぞれ別の前記杭に挿通するとともに、前記擁壁ブロックの前記凸部と別の前記擁壁ブロックの前記凹部とを略嵌合して複数の前記擁壁ブロックが並んだ第１段目の擁壁ブロック列を、前記クレーンを用いて形成する工程と、形成した前記第１段目の擁壁ブロック列の前記凸部と前記凹部とが略嵌合された部位の上に、第２段目の前記擁壁ブロックを、該擁壁ブロックの前記貫通孔に第１段目の擁壁ブロックの前記貫通孔を挿通した前記杭が挿通するように積むとともに、第２段目の前記擁壁ブロックの前記凸部と第２段目の別の前記擁壁ブロックの前記凹部とを略嵌合して複数の前記擁壁ブロックが並んだ第２段目の擁壁ブロック列を、前記クレーンを用いて形成する工程と、を有し、前記形成した第１段目の擁壁ブロック列および第２段目の擁壁ブロック列において、略嵌合した前記凸部の少なくとも一部の部位と略嵌合した前記凹部の少なくとも一部の部位が当接し、当接した該部位は該擁壁ブロックの底面から上面まで連続的に連なっていることを特徴とする擁壁の構築方法である。
【００１８】
本発明に係る人工島は、前記擁壁が、海洋において、四角形状に閉じるように設けられており、四角形状に閉じるように設けられた前記擁壁の内側は土砂で埋められていることを特徴とする人工島である。
【発明の効果】
【００１９】
本発明に係る擁壁ブロックを用いて構築した擁壁を海岸構造物に適用した場合、海に面していない側を土砂等で埋め立てても、汚濁水が海へ流出することを抑制することができる。また、大津波を受けても強固に抵抗することができ、大津波を受けても移動したり倒れたりすることを防止できる。
【図面の簡単な説明】
【００２０】
【図１】本発明の実施形態に係る擁壁ブロックの平面図（擁壁として積み上げられた状態を上方から見た平面図）
【図２】前記擁壁ブロックを図１の矢視ＩＩ−ＩＩ方向から見た側面図
【図３】凸部を凹部に略嵌合させて前記擁壁ブロックを一列に並べた状態を上方から見た平面図
【図４】前記擁壁ブロックを用いて構築した擁壁の一部を示す側面図
【図５】前記擁壁ブロックの凸部と凹部とが略嵌合した部位の拡大図
【図６】本発明の実施形態に係る擁壁ブロックの変形例の平面図
【図７】本発明の実施形態に係る擁壁ブロックの変形例の平面図
【図８】本発明の実施形態に係る擁壁ブロックの変形例の平面図
【図９】前記擁壁ブロックの間隙に叩き込むゴム板のワッパの一例を示す側面図
【図１０】前記擁壁ブロックの間隙にゴム板のワッパが叩き込まれた状況を示す斜視図
【図１１】前記擁壁ブロックを用いて構築した擁壁を活用した人工島の斜視図
【発明を実施するための形態】
【００２１】
以下、図面を参照して、本発明の実施形態を詳細に説明する。
【００２２】
（擁壁ブロックの構成）
図１は本発明の実施形態に係る擁壁ブロック１０の平面図（擁壁として積み上げられた状態を上方から見た平面図）であり、図２は擁壁ブロック１０を図１の矢視ＩＩ−ＩＩ方向から見た側面図である。なお、以下では、擁壁ブロック１０の「鉛直方向」、「水平方向」、「側面」、「底面」、「上面」は、擁壁ブロック１０が擁壁として積み上げられた配置状態を基準としてそれぞれの方向および面を判断するものとする。
【００２３】
本実施形態に係る擁壁ブロック１０は、２つの貫通孔１２と、凹部１４と、凸部１６と、を備えてなり、直方体に２つの貫通孔１２、凹部１４、凸部１６を設けた略直方体形状であり、鉄筋コンクリート製である。擁壁ブロック１０の大きさの一例を示すと、図１において、長辺の長さ（図１におけるＡ）は例えば３．４９ｍであり、短辺の長さ（図１におけるＣ）は例えば１．７５ｍであり、高さは例えば０．７５ｍである。なお、これらの数値は一例であり、擁壁ブロック１０の大きさに限定があるわけではない。
【００２４】
２つの貫通孔１２は、擁壁ブロック１０の底面から上面まで貫通している。２つの貫通孔１２は、擁壁ブロック１０を積み上げて擁壁を構築する際、コンクリート杭５０に挿通される。これにより、擁壁ブロック１０はコンクリート杭５０に連結されるとともに、積み上げられる擁壁ブロック１０の位置決めがなされる。したがって、２つの貫通孔１２は、擁壁ブロック１０をコンクリート杭５０に連結するとともに、積み上げられる擁壁ブロック１０の位置決めをする役割を果たす。貫通孔１２にコンクリート杭５０が挿通された後、貫通孔１２の内面とコンクリート杭５０の外面との間隙にグラウト材を充填して、擁壁ブロック１０とコンクリート杭５０との一体化を行う。充填するグラウト材は特に限定されず、セメント（モルタル）系グラウト材、ガラス系グラウト材、合成樹脂系グラウト材等を用いることができるが、擁壁ブロック１０を水中で積み上げて擁壁を構築する場合には水中コンクリートを用いる。
【００２５】
なお、擁壁ブロック１０においては、貫通孔１２の周囲を囲むように円形状に加工された鉄筋（図示せず）が鉛直方向に配置されており、貫通孔１２の周囲は該円形状の鉄筋により補強されている。
【００２６】
凹部１４は擁壁ブロック１０の短辺側面１８の中央部に設けられた略半円柱状の溝（蒲鉾形状の溝）であり、擁壁が形成された状態において擁壁ブロック１０を水平面で切断したときの断面形状は擁壁ブロック１０の底面から上面まで略半円形の同一形状であり、凹部１４は断面形状が略半円形の同一形状のまま擁壁ブロック１０の底面から上面まで連なっている。ここで、「短辺側面１８の中央部に設けられた」とは、擁壁が形成された状態において凹部１４を短辺側面１８と直交する方向から見たとき、凹部１４を形成する半円柱の中心軸が短辺側面１８を２等分する鉛直線と一致する配置状態のことをいう。なお、本実施形態では凹部１４の位置は擁壁ブロック１０の短辺側面１８の中央部に位置しているが、凹部１４の位置は擁壁ブロック１０の短辺側面１８の中央部に必ずしも位置しなくてもよく、擁壁ブロック１０の短辺側面１８の中央部から短辺側面１８と平行な方向に平行移動した位置にずれていてもよい。
【００２７】
また、凹部１４の形状は、正確には図１に示すように、半径Ｒ1の半円柱の溝を距離ｄ1だけ短辺側面１８から短辺側面１８と直交する方向に外側に平行移動させた形状であり、凹部１４の深さは半径Ｒ1から距離ｄ1を減じた長さ（Ｒ1−ｄ1）である。
【００２８】
凸部１６は擁壁ブロック１０の短辺側面２０の中央部に設けられた略半円柱状の突起（蒲鉾形状の突起）であり、擁壁が形成された状態において擁壁ブロック１０を水平面で切断したときの断面形状は擁壁ブロック１０の底面から上面まで略半円形の同一形状であり、凸部１６は断面形状が略半円形の同一形状のまま擁壁ブロック１０の底面から上面まで連なっている。ここで、「短辺側面２０の中央部に設けられた」とは、凸部１６を短辺側面２０と直交する方向から見たとき、凸部１６を形成する半円柱の中心軸が短辺側面２０を２等分する鉛直線と一致する配置状態のことをいう。なお、本実施形態では凸部１６の位置は擁壁ブロック１０の短辺側面２０の中央部に位置しているが、凸部１６の位置は擁壁ブロック１０の短辺側面２０の中央部に必ずしも位置しなくてもよく、擁壁ブロック１０の短辺側面２０の中央部から短辺側面２０と平行な方向に平行移動した位置にずれていてもよい。
【００２９】
また、凸部１６の形状は、正確には図１に示すように、半径Ｒ2の半円柱の突起を距離ｄ2だけ短辺側面２０から短辺側面２０と直交する方向に外側にさらに突出させた形状であり、凸部１６の突出長さは半径Ｒ2に距離ｄ2を加えた長さ（Ｒ2＋ｄ2）である。
【００３０】
凹部１４の半円柱の半径Ｒ1は凸部１６の半円柱の半径Ｒ2よりも大きく、凹部１４の最大幅（擁壁が形成された状態における擁壁ブロック１０を水平面で切断したときの断面における凹部１４の深さ方向と直交する方向の凹部１４の最大幅）は凸部１６の最大幅（擁壁が形成された状態における擁壁ブロック１０を水平面で切断したときの断面における凸部１６の突出方向と直交する方向の凸部１６の最大幅）よりも大きくなっている。このため、凸部１６は凹部１４に略嵌合できるようになっている。
【００３１】
一方、凸部１６の突出長さ（Ｒ2＋ｄ2）は凹部１４の深さ（Ｒ1−ｄ1）よりも長く、凸部１６の先端部が凹部１４の最深部に当接した状態において、凸部１６の後端部は凹部１４の中に入り込んでおらず、図３（凸部１６を凹部１４に略嵌合させて擁壁ブロック１０を一列に並べた状態を上方から見た平面図）に示すように、一方の擁壁ブロック１０の凸部１６の先端部が他方の擁壁ブロック１０の凹部１４の最深部に当接した状態において、当該２つの擁壁ブロック１０の側面の間には幅Ｂ（＝（Ｒ2＋ｄ2）−（Ｒ1−ｄ1）＝Ｒ2−Ｒ1＋ｄ1＋ｄ2）の隙間が生じている。また、前述したように、凹部１４は断面形状が
略半円形の同一形状のまま擁壁ブロック１０の底面から上面まで連なっており、凸部１６は断面形状が略半円形の同一形状のまま擁壁ブロック１０の底面から上面まで連なっている。このため、凸部１６の先端部と凹部１４の最深部とが当接した当接部位は擁壁ブロック１０の底面から上面まで連続的に連なっている。
【００３２】
また、図３に示すように、擁壁ブロック１０の２つの貫通孔１２の中心間の距離は（Ａ＋Ｂ）／２であり、また、凸部１６を凹部１４に略嵌合させて擁壁ブロック１０を一列に並べたとき、隣り合う擁壁ブロック１０同士の隣り合う貫通孔１２の中心間の距離が（Ａ＋Ｂ）／２となるような位置に貫通孔１２は設けられている。したがって、貫通孔１２の中心から短辺側面１８、２０までの距離Ｘ（図１参照）は、Ｘ＝｛Ａ−（Ａ＋Ｂ）／２｝／２＝（Ａ−Ｂ）／４である。
【００３３】
貫通孔１２の配置位置に合わせて、貫通孔１２が挿通するコンクリート杭５０も、隣り合うコンクリート杭５０の中心間の距離が（Ａ＋Ｂ）／２となるような位置に設ける。コンクリート杭５０は、十分な支持力が得られる深さまで地中に打ち込む。
【００３４】
図３に示すように擁壁ブロック１０を一列に並べたとき、隣り合う貫通孔１２の中心間の距離はいずれも（Ａ＋Ｂ）／２であり、隣り合うコンクリート杭５０の中心間の距離も（Ａ＋Ｂ）／２であり、さらに、擁壁ブロック１０において、２つの貫通孔１２の中心間の距離も（Ａ＋Ｂ）／２であるので、図４（擁壁ブロック１０を用いて構築した擁壁３０の一部を示す側面図）に示すように、コンクリート杭５０に挿通させつつ、第１段目の擁壁ブロック１０の凸部１６と凹部１４とが略嵌合した略嵌合部位２２の上に第２段目の擁壁ブロック１０を積むことができる。また、コンクリート杭５０に挿通させつつ、第２段目の擁壁ブロック１０の凸部１６と凹部１４とが略嵌合した略嵌合部位２４の上に第３段目の擁壁ブロック１０を積むことができる。さらに、コンクリート杭５０に挿通させつつ、第ｍ段目の擁壁ブロック１０の凸部１６と凹部１４とが略嵌合した略嵌合部位の上に第ｍ＋１段目の擁壁ブロック１０を積むことができる。本実施形態では、このように段数が変わるごとに（Ａ＋Ｂ）／２ずつ配置位置をずらして擁壁ブロック１０を積んで、擁壁３０を構築することができる。
【００３５】
即ち、上下方向に隣り合う、擁壁３０を構成する擁壁ブロック１０は、お互いに半重ね（ハーフラップ）の配置状態となる。このため、各段の擁壁ブロック列の平坦度を向上させやすくなる。各段の擁壁ブロック列の平坦度を向上させることにより、上下方向に隣り合う擁壁ブロックの間の隙間を減じることができる。
【００３６】
次に、擁壁ブロック１０の凸部１６と凹部１４とが略嵌合した部位の密着度が高くなるメカニズムについて説明する。
【００３７】
図５は擁壁ブロック１０の凸部１６と凹部１４とが略嵌合した部位の拡大図である。この略嵌合した部位では、凸部１６の先端部が凹部１４の最深部に当接している。凸部１６と凹部１４との間に小石等の介在物５２があったとしても、凸部１６と凹部１４との当接部位５４は鉛直方向に線状になっており、かつ、凸部１６と凹部１４との間の間隔は当接部位５４である凸部１６の先端部から離れるほど間隔が広くなっているため、凸部１６と凹部１４との間に小石等の介在物５２があったとしても、図５に示すように該介在物５２は凸部１６と凹部１４との当接部位５４からはじき出される。このため、凸部１６の先端部と凹部１４の最深部との当接（当接部位５４における当接）は密着したものになる。
【００３８】
一方、平面同士が当接した場合には当接部位は面となるため、小石等の介在物があった場合に当接部位からはじき出されず、当該平面同士の間には隙間が生じてしまう。
【００３９】
なお、前述したように、凸部１６の先端部と凹部１４の最深部とが当接した当接部位５４は擁壁ブロック１０の底面から上面まで連続的に連なっているので、該当接部位５４によって２分された凸部１６と凹部１４との間の隙間５６、５８は擁壁ブロック１０の底面から上面まで連結している箇所はなく、土砂等が隙間５６と隙間５８との間を行き来することは困難である。
【００４０】
以上説明した擁壁ブロック１０は、凹部１４、凸部１６をそれぞれ短辺側面１８、２０に設けたが、図６に示す擁壁ブロック３２のように、短辺側面１８、２０の両方に凹部１４を設けてもよく、また、図７に示す擁壁ブロック３４のように、短辺側面１８、２０の両方に凸部１６を設けてもよい。
【００４１】
また、短辺側面と長辺側面に１つずつ凹部１４または凸部１６を設けてもよく、この場合の例を図８に示す。図８に示す擁壁ブロック３６は、短辺側面２０に凹部１４を設け、長辺側面３８に凸部１６を設けたが、短辺側面２０と長辺側面３８の両方に凹部１４を設けてもよく、また短辺側面２０と長辺側面３８の両方に凸部１６を設けてもよい。短辺側面と長辺側面に１つずつ凹部１４または凸部１６を設けた擁壁ブロックはコーナー部に好適に配置することができる。
【００４２】
（擁壁の構築手順）
次に、擁壁ブロック１０、３２、３４、３６等（以下、擁壁ブロック１０等と記す。）を用いて構築する擁壁３０の構築手順の一例について説明する。
【００４３】
まず、擁壁３０を構築する場所に玉砂利を敷設する。敷設する玉砂利層の高さは例えば１０ｃｍ程度を目安にする。敷設する玉砂利層の幅は、擁壁３０の構築に用いる擁壁ブロック１０の短辺の長さよりも８０ｃｍ程度長くする。例えば、短辺の長さが１７５ｃｍの擁壁ブロック１０を用いる場合、敷設する玉砂利層の幅は例えば２５０ｃｍ程度とする。玉砂利を敷くことにより、第１段目の擁壁ブロック１０等の平坦度を向上させることができる。
【００４４】
玉砂利の敷設後、コンクリート杭５０を、（Ａ＋Ｂ）／２の間隔を設けた所定の位置において、十分な支持力が得られる深さまで地中に打ち込む。海底にコンクリート杭５０を打ち込む場合は、クレーン船により海上から打ち込んでもよい。
【００４５】
そして、クレーンを用いて擁壁ブロック１０等を持ち上げ、貫通孔１２にコンクリート杭５０を挿通させて、擁壁ブロック１０等を所定の位置に設置し、擁壁ブロック１０等の貫通孔１２の中心がコンクリート杭５０の中心と一致するように第１段目の擁壁ブロック１０等を配置する。また、擁壁ブロック１０等の凸部１６と凹部１４とが略嵌合するように配置する。なお、擁壁ブロック１０等の貫通孔１２の中心がコンクリート杭５０の中心と一致することが好ましいが、厳密に一致することまでは求める必要はない。
【００４６】
第１段目の擁壁ブロック１０等の設置が完了し、第１段目の擁壁ブロック列の構築が完了したら、第２段目の擁壁ブロック１０等を第１段目の擁壁ブロック列の上に積んでいく。第２段目の擁壁ブロック１０等の設置においても、第１段目の擁壁ブロック１０等の設置の場合と同様に、クレーンを用いて擁壁ブロック１０等を持ち上げ、貫通孔１２にコンクリート杭５０を挿通させて、擁壁ブロック１０等を所定の位置に設置し、擁壁ブロック１０等の貫通孔１２の中心がコンクリート杭５０の中心と一致するように第２段目の擁壁ブロック１０等を配置する。また、擁壁ブロック１０等の凸部１６と凹部１４とが略嵌合するように配置する。ただし、第１段目の擁壁ブロック１０等の凸部１６と凹部１４とが略嵌合した部位の上に第２段目の擁壁ブロック１０を積んでいき、図４に示すような半重ね（ハーフラップ）の配置状態となるように積んでいく。なお、擁壁ブロック１０等の貫通孔１２の中心がコンクリート杭５０の中心と一致することが好ましいが、厳密に一致することまでは求める必要はない。
【００４７】
以降は同様の手順を繰り返し、必要な段数に達するまで擁壁ブロック１０等を設置する。
【００４８】
なお、海底に擁壁ブロック１０等を設置する場合、予め桟橋を構築して該桟橋上にクレーンを配置し、該クレーンを用いて擁壁ブロック１０等を設置してもよい。
【００４９】
擁壁ブロック１０等の設置が完了したら、貫通孔１２の内面とコンクリート杭５０の外面との間隙にグラウト材を充填して、擁壁ブロック１０とコンクリート杭５０との一体化を行う。充填するグラウト材は特に限定されず、セメント（モルタル）系グラウト材、ガラス系グラウト材、合成樹脂系グラウト材等を用いることができるが、擁壁ブロック１０を海中で積み上げて擁壁を構築する場合には水中コンクリートを用いる。
【００５０】
また、グラウト材の充填は、必要な段数の擁壁ブロック１０等の設置が完了した後に行ってもよいが、所定の段数の擁壁ブロック１０等の設置が完了した段階で適宜行い、複数回に分けて充填を行ってもよい。
【００５１】
充填したグラウト材の硬化が完了し、擁壁ブロック１０等とコンクリート杭５０との一体化が完了したら、擁壁３０の完成である。
【００５２】
擁壁３０の完成後、必要に応じて、擁壁３０の海に面していない側を土砂等で埋め立てる。
【００５３】
擁壁３０の海に面していない側を土砂等で埋め立てた後、擁壁ブロック１０等の間の隙間から汚濁水が外部へ流出していることを万一発見したら、図９に示すようなゴム板のワッパ４０を、ダイバーに依頼して、図１０に示すように擁壁ブロック１０等の間の隙間に叩き込む。
【００５４】
ゴム板のワッパ４０は、具体的には例えば、厚さ３ｍｍ程度のゴム板を４０ｍｍ×７５０ｍｍ（擁壁ブロック１０等の高さが７５０ｍｍの場合）に切断して軽く折り曲げて、膨らみ部４２の厚さＹが１５ｍｍ程度（隣り合う擁壁ブロック１０等の隙間が１０ｍｍの場合）になるようにホッチキス４４で止める。ワッパ４０の幅Ｚの長さは２０ｍｍ弱である。
【００５５】
本実施形態の擁壁ブロックを用いて擁壁３０を構築した場合、前述したように、２つの擁壁ブロック１０の側面の間には幅Ｂ（＝（Ｒ2＋ｄ2）−（Ｒ1−ｄ1）＝Ｒ2−Ｒ1＋ｄ1＋ｄ2）の隙間が生じている。したがって、この幅Ｂの隙間にゴム板のワッパ４０を叩き込むことが可能になっており、汚濁水が外部へ流出することを抑制する効果をさらに向上させることができる。
【００５６】
以上、本実施形態の擁壁ブロックの構成および擁壁の構築手順について説明したが、構築する海岸構造物の種類に応じて、擁壁３０を２列に設けたり、四角形状に閉じるように設けてもよい。
【００５７】
例えば、図１１に示すように、２列の擁壁６０、６２（外周の擁壁を擁壁６０、内周の擁壁６２とし、内周の擁壁６２の高さを外周の擁壁６０の高さよりも高くする。擁壁６０、６２自体の構成は擁壁３０の構成と同様である。）を四角形状に閉じるように設け、外周の擁壁６０と内周の擁壁６２との間を土砂で埋めるとともに、内周の擁壁６２の内側を土砂で埋めることにより、滑走路６４と船着き場６６を有する人工島７０を海上に構築することも可能である。
【００５８】
（本実施形態の効果）
擁壁ブロック１０等を用いて構築した擁壁３０、６０、６２は、先に図５を用いて説明したように、凸部１６が凹部１４に略嵌合するが、凸部１６の先端部と凹部１４の最深部との当接は密着したものになる。また、凸部１６の先端部と凹部１４の最深部とが当接した当接部位は擁壁ブロック１０の底面から上面まで連続的に連なっている。
【００５９】
このため、擁壁３０の海に面していない側を土砂等で埋め立てたり、外周の擁壁６０と内周の擁壁６２との間を土砂で埋めるとともに、内周の擁壁６２の内側を土砂で埋め立てても、汚濁水が海へ流出することを抑制することができる。
【００６０】
また、擁壁３０、６０、６２は、十分な支持力が得られる深さまで地中に打ち込まれたコンクリート杭５０と一体化しているので、大津波を受けても強固に抵抗することができ、大津波を受けても擁壁３０、６０、６２が移動したり倒れたりすることを防止できる。
【符号の説明】
【００６１】
１０、３２、３４、３６…擁壁ブロック
１２…貫通孔
１４…凹部
１６…凸部
１８、２０…短辺側面
２２、２４…略嵌合部位
３０…擁壁
３８…長辺側面
４０…ワッパ
４２…膨らみ部
４４…ホッチキス
５０…コンクリート杭
５２…介在物
５４…当接部位
５６、５８…隙間
６０…外周の擁壁
６２…内周の擁壁
６４…滑走路
６６…船着き場
７０…人工島
【図１】
0006274462.tif 000002
【図２】
0006274462.tif 000003
【図３】
0006274462.tif 000004
【図４】
0006274462.tif 000005
【図５】
0006274462.tif 000006
【図６】
0006274462.tif 000007
【図７】
0006274462.tif 000008
【図８】
0006274462.tif 000009
【図９】
0006274462.tif 000010
【図１０】
0006274462.tif 000011
【図１１】
0006274462.tif 000012